(57)【要約】      （修正有）【課題】ジョーが損傷あるいは摩耗したり、カバーが破損することの少ないノギス用のカバーを提供する。【解決手段】基板３０の一平面３０ａに開口した第１の溝４０および第２の溝５０に、ノギスのスライダ２０およびジョー対１１，２１と１２，２２を収容し、第１の溝４０に設けた突起４２ａ，４２ｂにスライダの側縁を掛け止める。好ましくは、第１の溝４０の溝底を構成する板部分４１を弾性変形させ、第１の溝４０の開口端の間隔を拡張することで、第１の溝４０へのスライダ２０の着脱を可能とする。これにより、ジョー対１１，２１と１２，２２を第２の溝５０に当てることなく、ノギスＮ１にカバーＣ１を装着することが可能になる。【選択図】図１
0003191710.tif 000002
【実用新案登録請求の範囲】
【請求項１】
本尺とその本尺の長手方向に沿ってスライド移動可能なスライダとに、それぞれ前記長手方向と直角方向に延びた測定用のジョーを有しているノギス用のカバーであって、
前記カバーは、前記スライダを収容する第１の溝と、前記第１の溝の一端に連続し前記ジョーを収容する第２の溝とを、基板の一平面に開口させて備え、
前記第１の溝には、前記スライダを保持するため、前記スライダの前記長手方向に沿う側縁を掛け止める突起を備える、ノギス用のカバー。
【請求項２】
前記第１の溝の前記開口している側とは反対側の溝底を、前記基板の一平面と直角方向に弾性により湾曲変形可能な板部分で構成し、
前記板部分の変形により、前記突起を含む前記第１の溝の開口側の間隔を拡張縮小する、請求項１に記載のノギス用のカバー。
【請求項３】
前記基板は、前記第２の溝における前記第１の溝とは反対側の壁面を構成する枠部分を有し、前記枠部分は、前記板部分の弾性変形を妨げない、請求項２に記載のノギス用のカバー。
【請求項４】
前記枠部分は、前記第１の溝のほぼ延長線上の位置において、弾性変形可能な薄板部分を有する、請求項３に記載のノギス用のカバー。
【請求項５】
前記枠部分は、前記第１の溝のほぼ延長線を挟んで対向する前記基板の他方の部分と接続していない、請求項３に記載のノギス用のカバー。
【請求項６】
前記第２の溝において前記ジョーの少なくとも先端と対応する部分は、前記基板を貫通している、請求項１から５のいずれかに記載のノギス用のカバー。
【請求項７】
前記第１の溝および第２の溝に前記スライダおよびジョーを収容した状態において、前記基板は、前記スライダ側の端部を、前記スライダのジョーと反対側の端部とほぼ同等またはそれよりも前記ジョー側に位置させている、請求項１から６のいずれかに記載のノギス用のカバー。
【考案の詳細な説明】
【技術分野】
【０００１】  この考案は、ノギス用のカバーに関する。
【背景技術】
【０００２】  一般的なノギスＮ１は、図１２に示すように、細長い形状の本尺１０と、その本尺の長手方向に沿ってスライド移動可能なスライダ２０とを有する。スライダ２０は、公知のように本尺１０の長手方向と直角な断面において、本尺１０の一方の長手方向側縁１４を包囲するＵ字形の下側縁部２４と、他方の側縁１３を包囲するＵ字形の上側縁部２３とを有し、両縁部２３，２４を図面において本尺１０の裏側で一体に連結した形状をなしている。【０００３】  本尺１０の一方の側縁１４の長手方向一端と、スライダ２０の下側縁部２４の同端とに、対をなす外側寸法測定用のジョー１１，２１を備える。また本尺１０の他方の側縁１３の長手方向一端と、スライダ２０の上側縁部２３の同端とに、対をなす内側寸法測定用のジョー１２，２２を備える。両ジョー対１１，２１と１２，２２は、本尺１０の長手方向と直角方向に延び、かつ各対は互いに反対方向に延びる。公知のように外側寸法測定用のジョー対１１，２１は、物品の外側を挟んで外径寸法などを測定する。また、内側寸法測定用のジョー対１２，２２は、物品の内側に挿入して内径寸法、隙間寸法などを測定する。【０００４】  スライダ２０の下側縁部２４はジョー２１と反対側の端部に、指掛け用の凸部２５を有し、また上側縁部２３はスライダ２０を本尺１０に対し任意の位置で固定するねじ２６を有する。【０００５】  従来、両ジョー対１１，２１と１２，２２を保護するために、特許文献１および特許文献２に示すものが提案されている。特許文献１に示すものは、ジョーをカバーで覆う際、一方のジョーの尖った先端にカバーの内面を当てた状態でカバーを他方のジョーに向けて旋回させ、他方のジョーを覆った位置でカバーの開口部を可動片で閉じる。また特許文献２に示すものは、カバーをゴム等の伸縮性の材料で構成し、一方のジョーの尖った先端にカバーの内面を当てた状態でカバーを引っ張って伸ばし他方のジョーを覆うようにしている。つまり、これらは、カバーでジョーのみを覆い、そのジョー自体にカバーを保持するようにしている。
【先行技術文献】
【特許文献】
【０００６】
【特許文献１】  特開平６−１９４１０４号公報
【特許文献２】  登録実用新案第３０８８９４０号公報
【考案の概要】
【考案が解決しようとする課題】
【０００７】  上記特許文献１および特許文献２で提案されたものは、カバーをジョーの尖った先端に接触させているため、外力が作用すると、カバーを介してジョーを損傷させる懸念がある。また、ジョーをカバーで覆う際、ジョーの尖った先端をカバーの内面に当ててカバーを旋回させたり、カバーを引っ張って伸ばしたりするため、カバーがジョーの先端で破損したり、ジョーの先端が摩耗するおそれがある。
この考案は、ジョーが損傷あるいは摩耗したり、カバーが破損することの少ないノギス用のカバーを提案することを目的とする。
【課題を解決するための手段】
【０００８】  この考案のノギス用のカバーは、上記目的を達成するために、本尺とその本尺の長手方向に沿ってスライド移動可能なスライダとに、それぞれ前記長手方向と直角方向に延びた測定用のジョーを有しているノギス用のカバーであって、前記カバーは、前記スライダを収容する第１の溝と、前記第１の溝の一端に連続し前記ジョーを収容する第２の溝とを、基板の一平面に開口させて備え、前記第１の溝には、前記スライダを保持するため、前記スライダの前記長手方向に沿う側縁を掛け止める突起を備える構成としている。【０００９】  上記の構成において好ましくは、さらに前記第１の溝の前記開口している側とは反対側の溝底を、前記基板の一平面と直角方向に弾性により湾曲変形可能な板部分で構成し、前記板部分の変形により、前記突起を含む前記第１の溝の開口側の間隔を拡張縮小する構成とする。【００１０】  上記の構成において好ましくは、さらに前記基板は、前記第２の溝における前記第１の溝とは反対側の壁面を構成する枠部分を有し、前記枠部分は、前記板部分の弾性変形を妨げない構成とする。【００１１】  上記の構成において好ましくは、さらに前記枠部分は、前記第１の溝のほぼ延長線上の位置において、弾性変形可能な薄板部分を有する構成とする。【００１２】  上記の構成において好ましくは、さらに前記枠部分は、前記第１の溝のほぼ延長線を挟んで対向する前記基板の他方の部分と接続していない構成とする。【００１３】  上記の構成において好ましくは、さらに前記第２の溝において前記ジョーの少なくとも先端と対応する部分は、前記基板を貫通している構成とする。【００１４】  上記の構成において好ましくは、さらに前記第１の溝および第２の溝に前記スライダおよびジョーを収容した状態において、前記基板は、前記スライダ側の端部を、前記スライダのジョーと反対側の端部とほぼ同等またはそれよりも前記ジョー側に位置させている構成とする。
【考案の効果】
【００１５】  上記の構成により、基板の一平面に開口した第１の溝および第２の溝に、ノギスのスライダおよびジョーを収容し、第１の溝に設けた突起にスライダの長手方向に沿う側縁を掛け止めることで、スライダの少なくとも一部およびジョーをカバーで覆うことができる。この状態で、第１の溝内に突起でスライダを保持するから、ジョーの少なくとも先端を第２の溝に当てることなく、ノギスにカバーを装着することが可能になる。このため、カバーに外力が作用しても、カバーの変形により外力の一部を吸収することができ、ジョーの先端を損傷させることが少ない。また、カバーの着脱に際してカバーをジョーの先端に接触させないから、カバーが損傷したり、ジョーの先端が摩耗することも少ない。【００１６】  また上記の構成においてさらに、第１の溝の溝底を、基板の一平面と直角方向に弾性により湾曲変形可能な板部分で構成することで、板部分を変形させて突起を含む第１の溝の開口側の間隔を拡張縮小し、スライダを第１の溝に対して着脱することができる。【００１７】  また上記の構成においてさらに、第２の溝における第１の溝とは反対側の壁面を構成する枠部分を、板部分の弾性変形を妨げない構成とすることで、スライダを第１の溝に対して着脱する際、突起と側縁との間隔を拡張縮小させるための板部分の弾性変形を可能にすることができる。【００１８】  また上記の構成においてさらに、枠部分は、第１の溝のほぼ延長線上の位置において、弾性変形可能な薄板部分を有することで、板部分の弾性変形を妨げない構成とすることができる。【００１９】  また上記の構成においてさらに、枠部分は、第１の溝のほぼ延長線を挟んで対向する基板の他方の部分と接続していないことで、板部分の弾性変形を妨げない構成とすることができる。【００２０】  また上記の構成においてさらに、第２の溝においてジョーの少なくとも先端と対応する部分は、基板を貫通する構成とすることで、第１の溝にスライダとを着脱する際、スライダおよびジョーを傾けたとき、ジョーが第２の溝に対して基板の厚さを超えて突出させることができる。つまり、その場合でもジョーが溝底などに干渉することがなく、ジョーの損傷を回避することができる。また、基板を薄く構成しても、着脱を円滑に行うことができる。【００２１】  また上記の構成においてさらに、第１の溝および第２の溝にスライダおよびジョーを収容した状態において、基板は、スライダ側の端部を、スライダのジョーと反対側の端部とほぼ同等またはそれよりもジョー側に位置させているように構成することで、上記効果を奏するカバーを小型に構成することができる。
【図面の簡単な説明】
【００２２】
【図１】  この考案の第１の実施の形態のカバーを、一般的なノギスに装着した状態の正面図。
【図２】  図１の２−２線断面図。
【図３】  図１の３−３線断面図。
【図４】  ノギスへのカバーの着脱過程を説明する図３相当の図。
【図５】  第１の実施の形態のカバーの斜視図。
【図６】  第２の実施の形態のカバーを、別のノギスに装着した状態の正面図。
【図７】  図６の７−７線断面図。
【図８】  図６の８−８線断面図。
【図９】  ノギスへのカバーの着脱過程を説明する図８相当の図。
【図１０】  第２の実施の形態のカバーの斜視図。
【図１１】  さらに他の実施の形態のカバーにおける第１の溝の部分斜視図
【図１２】  一般的なノギスの正面図。
【考案を実施するための形態】
【００２３】＜第１の実施の形態＞
以下、この考案の第１の実施の形態を、図１から図５にしたがって詳細に説明する。この実施の形態において対象とするノギスＮ１は、図１２で説明した一般的なノギスである。
第１の実施の形態においてカバーＣ１は、１個の扁平な矩形の基板３０により構成される。基板３０は、スライダ２０を収容する第１の溝４０と、両ジョー対１１，２１と１２，２２を収容する第２の溝５０とを備える。第２の溝５０は、外側寸法測定用のジョー対１１，２１を収容する下側部分５１と、内側寸法測定用のジョー対１２，２２を収容する上側部分５２とからなり、上下両側部分５０ａ，５０ｂをそれぞれ第１の溝４０に対して直角で、かつ互いに反対側へ延ばしている。この基板３０は、弾性のある合成樹脂または金属により一体に製作される。
【００２４】  第２の溝５０は、第１の溝４０の長手方向一端に連続し、両溝全体としてほぼＴ字形をなしている。また、両溝４０，５０は、基板３０の扁平な方向と平行な一平面３０ａに沿って位置しかつ同面にそれぞれ開口している。
【００２５】  第１の溝４０と第２の溝５０との位置関係は、外側寸法測定用のジョー対１１，２１が互いにほぼ接するようにスライダ２０を本尺１０に対して位置させた状態と対応する。基板３０のスライダ２０側の端部（図１において基板３０の右端）３０ｂは、上記位置にあるスライダ２０のジョーとは反対側の端部（図１においてスライダ２０の右端）２０ｂよりもジョー側に位置している。つまり、基板３０は、ノギスの長手方向において、ノギスの全長よりも十分に短く、カバーＣ１そのものは小型になっている。この実施の形態では、端部３０ｂは、スライダ２０の指掛け用の凸部２５よりもジョー側に位置している。また、基板３０は、ねじ２６を収容するため、第１の溝４０と連続した切欠部４４を有している。
【００２６】  図２に示すように、基板３０は、第１の溝４０の開口側とは反対側の溝底を構成する板部分４１を有している。板部分４１は、基板３０の一平面３０ａと直角方向（図２において上下方向）に弾性により湾曲変形可能である。第１の溝４０は、向かい合う両内側面から溝内へ突出する突起４２ａ，４２ｂを備える。突起４２ａ，４２ｂと板部分４１とは、その間に、ほぼスライダ２０の厚さに相当する間隔をおいている。突起４２ａ，４２ｂは、板部分４１との間に収容したスライダ２０の上下両側部分２３．２４における長手方向に沿う側縁を掛け止めし、スライダ２０を第１の溝４０内に保持する。また、基板３０の一平面３０ａから突起４２ａ，４２ｂへ至る面は、第１の溝４０内へ向かう傾斜面４３，４３となっている。板部分４１の湾曲変形により、第１の溝４０の開口側の間隔（突起４２ａ，４２ｂ間の間隔を含む）を拡張し、弾性復帰によりその間隔を縮小する。
【００２７】  第２の溝５０は、一平面３０ａに沿う方向において両ジョー対１１，２１と１２，２２の外形よりも大きく構成してある。つまり、第１の溝４０にスライダ２０を収容した状態において、第２の溝５０を構成する壁面５０ａは、両ジョー対１１，２１と１２，２２と間隔をおく。また図３に示すように、第２の溝５０は、基板３０の厚さ方向（一平面３０ａと直角方向）に貫通している。このため、基板３０の端部３０ｂと反対側の端部（図１において左端）は、第２の溝５０の一側の壁面を構成する枠部分３１となっている。枠部分３１は、第１の溝４０の長手方向のほぼ延長線上の位置において、弾性変形可能な薄板部分３１ａとなっている。板部分４１が湾曲変形および復帰するとき、薄板部分３１ａも同様に変形することで、板部分４１の変形を妨げない。
【００２８】  上記のように構成したカバーＣ１をノギスＮ１に装着するには、外側寸法測定用のジョー対１１，２１が互いにほぼ接するようにスライダ２０を本尺１０に対して位置させた状態で、図４に示すように、作業者が第１の溝４０を挟む基板３０の両部分を手に持って板部分４１を湾曲変形させ、第１の溝４０の開口側の間隔（突起４２ａ，４２ｂ間の間隔を含む）を拡張させる。そしてＮ１（ａ）で示すように、ノギスＮ１のスライダ２０を、第１の溝４０の拡張した開口側とほぼ平行にして、その第１の溝４０内に挿入する。その後、板部分４１を弾性復帰させることで、突起４２ａ，４２ｂがスライダ２０の長手方向両側縁を掛け止めし、スライダ２０を第１の溝４０内に保持することができる。
【００２９】  また、ノギスＮ１にカバーＣ１を装着するには次の方法もある。上記のように第１の溝４０の開口側の間隔を拡張させた状態で、Ｎ１（ｂ）で示すように、ノギスＮ１のスライダ２０の一方の側縁を、第１の溝４０の一方の突起４２ａと溝底との間に挿入する。そして、板部分４１を弾性復帰させることで、他方の突起４２ｂがスライダ２０の他方の側縁を掛け止めする。これによりスライダ２０を第１の溝４０内に保持することができる。
【００３０】  上記のいずれの方法で装着する場合でも、スライダ２０の側縁を傾斜面４３に当てて、スライダ２０の押し込み力により、板部分４１を湾曲変形させ、第１の溝４０の開口側の間隔を拡張させるようにすることもできる。
【００３１】  上記のように、スライダ２０が第１の溝４０内に保持された状態で、両ジョー対１１，２１と１２，２２は基板３０の一平面３０ａとほぼ平行に位置し、両ジョー対１１，２１と１２，２２の先端が、第２の溝５０の壁面５０ａと間隔をおいて位置する。その間隔は、スライダ２０と第１の溝４０との間の図２の左右方向の隙間よりも十分に大きい。
【００３２】  カバーＣ１をノギスＮ１から取り外すには、作業者が第１の溝４０を挟む基板３０の両部分を手に持って板部分４１を湾曲変形させ、第１の溝４０の開口側の間隔を拡張させることで、スライダ２０を第１の溝４０から取り外すことができる。
【００３３】  上記のように、カバーＣ１をノギスＮ１に装着した状態において、スライダ２０が突起４２ａ，４２ｂで掛け止めされて第１の溝４０内に保持されている。このため、両ジョー対１１，２１と１２，２２の先端を、カバーＣ１をノギスＮ１に着脱する過程から装着状態において、第２の溝５０の壁面５０ａと間隔をおくように、第２の溝５０の大きさを設計することが可能になるので、従来のようにカバーＣ１との接触により、損傷したり摩耗することが少なくなる。また、カバーＣ１もジョーとの接触により、損傷することが少なくなる。
【００３４】  カバーＣ１を装着したノギスＮ１を衣服のポケット等に入れて持ち歩いても、両ジョー対１１，２１と１２，２２の尖った先端が衣服を傷つけることがない。また、カバーＣ１に外力が作用したとき、カバーＣ１とジョーとに間隔をおいているから、カバーの変形により外力の一部を吸収することができ、ジョーの損傷を少なくすることができる。
【００３５】  また、カバーＣ１をノギスＮ１に着脱する過程において、図４においてＮ１（ｂ）に示すように、一方のジョー対１２，２２が第２の溝５０に対して傾斜した状態となる場合、第２の溝５０を貫通した形状としているので、基板３０を傾斜したジョー対を収容する厚さにする必要がなく、薄く設計することができる。
【００３６】＜第２の実施の形態＞
図６から図１０はこの考案の第２の実施の形態を示す。この実施の形態において使用するノギスＮ２は、本尺１０、スライダ２０および内側寸法測定用のジョー対１２，２２を有し、外側寸法測定用のジョー対１１，２１を省略している。
第２の実施の形態においてカバーＣ２は、１個の扁平な矩形の基板３０１により構成される。基板３０１は、スライダ２０を収容する第１の溝４０１と、ジョー対１２，２２を収容する第２の溝５０１とを備える。第２の溝５０１は、第１の溝４０１の長手方向一端に連続し、両溝全体としてほぼＬ字形をなしている。また、両溝４０１，５０１は、基板３０１の扁平な方向と平行な一平面３０１ａに沿って位置しかつ同面にそれぞれ開口している。この基板３０１は、弾性のある合成樹脂または金属により一体に製作される。
【００３７】  第１の溝４０１と第２の溝５０１との位置関係は、内側寸法測定用のジョー対１２，２２の先端がほぼ一致するようにスライダ２０を本尺１０に対して位置させた状態と対応する。基板３０１のスライダ２０側の端部（図６において基板３０１の右端）３０１ｂは、上記位置にあるスライダ２０のジョーとは反対側の端部（図６においてスライダ２０の右端）２０ｂよりもジョー側に位置させている。つまり、基板３０１は、ノギスの長手方向において、ノギスの全長よりも十分に短く、カバーＣ２そのものは小型になっている。この実施の形態では、端部３０１ｂは、スライダ２０のねじ２６よりもジョー対１２，２２側に位置している。
【００３８】  図７に示すように、基板３０１は、第１の溝４０１の開口側とは反対側の溝底を構成する板部分４１１を有している。板部分４１１は、基板３０１の一平面３０１ａと直角方向（図７において上下方向）に弾性により湾曲変形可能である。第１の溝４０１は、向かい合う両内側面から溝内へ突出する突起４２１ａ，４２１ｂを備える。突起４２１ａ，４２１ｂと板部分４１１とはその間に、ほぼスライダ２０の厚さに相当する間隔をおいている。突起４２１ａ，４２１ｂは、板部分４１１との間に収容したスライダ２０の上下両側部分２３．２４における長手方向に沿う側縁を掛け止めし、スライダ２０を第１の溝４０１内に保持する。また、基板３０１の一平面３０１ａから突起４２１ａ，４２１ｂへ至る面は、第１の溝４０１内へ向かう傾斜面４３１，４３１となっている。板部分４１１の湾曲変形により、第１の溝４０１の開口側の間隔（突起４２１ａ，４２１ｂ間の間隔を含む）を拡張し、弾性復帰によりその間隔を縮小する。
【００３９】  第２の溝５０１は、一平面３０１ａに沿う方向においてジョー対１２，２２の外形よりも大きく構成してある。つまり、第１の溝４０１にスライダ２０を収容した状態において、第２の溝５０１を構成する壁面５０１ａは、ジョー対１２，２２と間隔をおく。また図８に示すように、第２の溝５０１は、基板３０１の厚さ方向（一平面３０１ａと直角方向）に貫通している。このため、基板３０１の端部３０１ｂと反対側の端部（図６において左端）は、第２の溝５０１の一側の壁面を構成する枠部分３１１となっている。枠部分３１１は、第１の溝４０１の延長線を挟んで対向する基板３０１の他方の部分３２１と間隔を置きつまり接続しておらず、板部分４１１の弾性変形を妨げない。
【００４０】  上記のように構成したカバーＣ２をノギスＮ２に装着する方法は、前述の実施の形態とほぼ同様である。まず、ジョー対１２，２２の先端がほぼ一致するようにスライダ２０を本尺１０に対して位置させた状態とする。図９に示すように、作業者が第１の溝４０１を挟む基板３０１の両部分を手に持って板部分４１１を湾曲変形させ、第１の溝４０１の開口側の間隔（突起４２１ａ，４２１ｂ間の間隔を含む）を拡張させる。そしてＮ２（ａ）で示すように、ノギスＮ２のスライダ２０を、第１の溝４０１の拡張した開口側とほぼ平行にして、その第１の溝４０１内に挿入する。その後、板部分４１１を弾性復帰させることで、突起４２１ａ，４２１ｂがスライダ２０の長手方向両側縁を掛け止めする。これによりスライダ２０を第１の溝４０１内に保持することができる。
【００４１】  また、ノギスＮ２にカバーＣ２を装着するには次の方法もある。上記のように第１の溝４０１の開口側の間隔を拡張させた状態で、Ｎ２（ｂ）で示すように、ノギスＮ２のスライダ２０の一方の側縁を、第１の溝４０１の一方の突起４２１ａと溝底との間に挿入する。そして、板部分４１１を弾性復帰させることで、他方の突起４２１ｂがスライダ２０の他方の側縁を掛け止めし、スライダ２０を第１の溝４０１内に保持することができる。
【００４２】  上記のいずれの方法で装着する場合でも、スライダ２０の側縁を傾斜面４３１に当てて、スライダ２０の押し込み力により、板部分４１１を湾曲変形させ、第１の溝４０１の開口側の間隔を拡張させるようにすることもできる。
【００４３】  上記のように、スライダ２０が第１の溝４０内に保持された状態で、両ジョー対１１，２１と１２，２２は基板３０１の一平面３０１ａとほぼ平行に位置し、両ジョー対１１，２１と１２，２２の先端が、第２の溝５０１の壁面５０１ａと間隔をおいて位置する。その間隔は、スライダ２０と第１の溝４０１との間の図７の左右方向の隙間よりも十分に大きい。
【００４４】  カバーＣ２をノギスＮ２から取り外すには、作業者が第１の溝４０１を挟む基板３０１の両部分を手に持って板部分４１１を湾曲変形させ、第１の溝４０１の開口側の間隔を拡張させることで、スライダ２０を第１の溝４０１から取り外すことができる。
なお、カバーＣ２をノギスＮ２に対し着脱する際、カバーＣ２から突出しているスライダ２０の部分と、第１の溝４０１を挟む基板３０１の両部分のうち一方の部分とを手に持って、板部分４１１を湾曲変形させることもできる。
【００４５】  この実施の形態においても、前述の実施の形態と同様に、ジョー対１２，２２の先端が、第２の溝５０の壁面５０ａと間隔をおいて位置するように設計できるので、カバーＣ２との接触により、損傷したり摩耗することが少ない効果、カバーＣ２も損傷することが少ない効果、カバーＣ２を装着したノギスＮ２を衣服のポケット等に入れても、ジョー対１２，２２の尖った先端が衣服を傷つけることがない効果、カバーＣ２に外力が作用したとき、カバーの変形により外力の一部を吸収しジョーの損傷を少なくすることができる効果、また、第２の溝５０１を貫通した形状として基板３０１を薄く設計することができる効果などを得ることができる。
【００４６】＜他の実施の形態＞
図１１は、さらに他の実施の形態を示す。この実施の形態では、スライダ２０を収容する第１の溝４０２の側壁４５２に、スリット４５３，４５３によって区画されたレバー片４５４を設け、さらにレバー片４５４の先端に、スライダ２０を掛け止めるための突起４２２、およびその突起４２２よりもさらに先端側に傾斜面４３２を設けている。レバー片４５４は第１の溝４０２の溝底側を基端としてその第１の溝４０２の内外方向に弾性変形可能である。これにより、突起４２２は、レバー片４５４の弾性に抗して第１の溝４０２の外方向に退避し、またレバー片４５４の弾性により第１の溝４０２内に突出する位置に復帰する。
この場合、第１の溝４０２の溝底を構成する板部分４１２は、弾性変形するものでなくてもよい。
【００４７】  上記第２の実施の形態では、外側寸法測定用のジョー対１１，２１を省略し内側寸法測定用のジョー対１２，２２を有したノギスＮ２のためのカバーＣ２を提案しているが、この考案の思想は、内側寸法測定用のジョー対１２，２２を省略し外側寸法測定用のジョー対１１，２１を有したノギスのためのカバーにも適用できる。
【００４８】  上記第１の実施の形態では、枠部分３１の中間に変形可能な薄板部分３１ａを設けているが、薄板部分３１ａを省略して枠部分３１の中間を空間としてもよい。また、上記第２の実施の形態では、枠部分３１１が第１の溝４０１の延長線を挟んで対向する他方の部分３２１と接続していないが、第１の実施の形態と同様に薄板部分で接続するように構成してもよい。なお、枠部分３１、３１１を他方の部分３２１とほぼ剛性をもって接続しても、板部分４１，４１１を弾性変形させることができるならば、枠部分３１、３１１に上記のような工夫を施すことは必要ない。
【００４９】  上記第１および第２の実施の形態では、第２の溝５０，５０１の全体が基板３０，３０１を貫通して設けられているが、ノギスを傾斜させてカバーに装着する際、ジョー対１２，２２の先端のみが基板の厚さを超える場合、第２の溝５０，５０１において少なくともジョー対１２，２２の先端に対応する部分のみが貫通しておればよい。
【００５０】  上記第１および第２の実施の形態において、基板３０，３０１のスライダ２０側の端部３０ｂ、３０１ｂは、スライダ２０の同側の端部２０ｂとほぼ同等の位置にあってもよい。
【００５１】  この考案の思想は、スライダ２０にデジタル式の表示部を有するノギスにも適用することができる。
【符号の説明】
【００５２】Ｎ１，Ｎ２            ノギス
Ｃ１，Ｃ２            カバー
１０                  本尺
２０                  スライダ
１１，２１            外側寸法測定用のジョー
１２，２２            内側寸法測定用のジョー
３０，３０１          基板
３０ａ，３０１ａ      一平面
３１，３１１          枠部分
４０，４０１，４０２  第１の溝
４１，４１１，４１２  板部分
４２，４２１，４２２  掛け止め用の突起
５０，５０１          第２の溝
【図１】
0003191710.tif 000003
【図２】
0003191710.tif 000004
【図３】
0003191710.tif 000005
【図４】
0003191710.tif 000006
【図５】
0003191710.tif 000007
【図６】
0003191710.tif 000008
【図７】
0003191710.tif 000009
【図８】
0003191710.tif 000010
【図９】
0003191710.tif 000011
【図１０】
0003191710.tif 000012
【図１１】
0003191710.tif 000013
【図１２】
0003191710.tif 000014
【手続補正書】
【提出日】平成26年4月21日(2014.4.21)
【手続補正１】
【補正対象書類名】実用新案登録請求の範囲
【補正対象項目名】請求項３
【補正方法】変更
【補正の内容】
【請求項３】
前記基板は、前記第２の溝における前記第１の溝とは反対側の壁面を構成する枠部分を有する、請求項２に記載のノギス用のカバー。
【手続補正２】
【補正対象書類名】明細書
【補正対象項目名】００１０
【補正方法】変更
【補正の内容】
【００１０】  上記の構成において好ましくは、さらに前記基板は、前記第２の溝における前記第１の溝とは反対側の壁面を構成する枠部分を有する。
【手続補正３】
【補正対象書類名】明細書
【補正対象項目名】００１７
【補正方法】変更
【補正の内容】
【００１７】  また上記の構成においてさらに、第２の溝における第１の溝とは反対側に、第２の溝の壁面を構成する枠部分を設けることができる。